(57)【要約】【課題】マルチビュー表示を行う際に、動き補償によるＦＲＣ処理を行い、動画応答性を高めると共に画質を向上できるようにした画像表示装置を提供する。【解決手段】画像表示装置は、複数の視野角のいずれかに対応した画像を１フレーム内で複数同時に表示し、複数の視野角内のそれぞれの位置で、他の視野角内の位置とは異なる画像を視認可能な液晶ディスプレイ１６と、入力画像信号のフレーム間に動き補償処理を施した画像信号を内挿することによりフレーム数を変換するＦＲＣ部１０と、液晶ディスプレイ１６に表示させる１フレーム内の画像数を通知するための制御信号をＦＲＣ部１０に出力する制御部１４とを備える。ＦＲＣ部１０は、制御部１４により出力された制御信号に基づいて、１フレーム内の各画像毎に動きベクトルの検出範囲を構成し、構成した動きベクトルの検出範囲で動きベクトルを検出する。【選択図】図３
2010016463.tif 000002
【特許請求の範囲】
【請求項１】
複数の視野角のいずれかに対応した画像を１フレーム内あるいは１フィールド内で複数同時に表示し、前記複数の視野角内のそれぞれの位置で、他の視野角内の位置とは異なる画像を視認可能な表示手段を備えた画像表示装置であって、
入力画像信号のフレーム間あるいはフィールド間に、動き補償処理を施した画像信号を内挿することにより、前記入力画像信号のフレーム数あるいはフィールド数を変換して前記表示手段に出力するレート変換手段と、
前記表示手段に表示させる１フレーム内あるいは１フィールド内の画像数を通知するための制御信号を前記レート変換手段に出力する制御手段とを備え、
前記レート変換手段は、前記制御手段により出力された制御信号に基づいて、１フレーム内あるいは１フィールド内の各画像毎に動きベクトルの検出範囲を構成し、該構成した動きベクトルの検出範囲で動きベクトルを検出することを特徴とする画像表示装置。
【請求項２】
請求項１に記載の画像表示装置において、前記制御信号により通知された画像数をｎ（ｎ≧２）とした場合、前記レート変換手段は、前記入力画像信号の１フレーム内あるいは１フィールド内での各画像の視野角方向に対して、ｎ−１画素おきに画素を抽出し、該抽出した画素により動きベクトルの検出範囲を構成することを特徴とする画像表示装置。
【請求項３】
請求項２に記載の画像表示装置において、前記各画像の視野角方向は、１フレーム内あるいは１フィールド内における水平方向または垂直方向であることを特徴とする画像表示装置。
【請求項４】
請求項１〜３のいずれか１項に記載の画像表示装置において、前記レート変換手段は、前記入力画像信号に含まれる連続したフレーム間あるいはフィールド間で動きベクトル情報を検出する動きベクトル検出部と、該検出した動きベクトル情報に基づいて、前記フレーム間あるいは前記フィールド間に内挿ベクトルを割り付ける内挿ベクトル割付部と、該割り付けた内挿ベクトルから内挿画像信号を生成する内挿画像生成部と、該生成した内挿画像信号を前記フレーム間あるいは前記フィールド間に内挿する画像内挿部とを備えたことを特徴とする画像表示装置。
【発明の詳細な説明】
【技術分野】
【０００１】
本発明は、画像表示装置に関し、デュアルビューなどのマルチビュー表示機能を備えた画像表示装置に関する。
【背景技術】
【０００２】
従来、液晶表示パネルの表面に視差バリアと呼ばれる層を配置することで、同じ液晶表示パネルの画面を見ていても、右から見た場合と左から見た場合とで、見える画像を異ならせることのできるデュアルビューディスプレイが知られている（例えば、特許文献１を参照）。
【０００３】
視差バリアとは、不透明領域で隔たれた透明スリットを多数有するフィルタであり、これによりバックライトからの光の向きを左右に分離することができる。従って、視差バリアの透明スリットの幅や間隔に応じて、隣接する一または複数の画素ごとに異なる画像データを出力すれば、視差バリアにより各画像データを分離することができる。そしてこれにより、視聴者が右から見た場合と左から見た場合とで、表示画像を異ならせることができる。
【０００４】
つまりデュアルビューディスプレイは、左右あるいは上下などの二つの視野角のいずれかに対応した画像を二つ同時に表示し、二つの視野角内のそれぞれの位置で、他方の視野角内の位置とは異なる画像を視認できるように構成されている。
また現在では、上記のような二つの画像を同時表示するデュアルビューディスプレイのみならず、左・中・右などのそれぞれ異なる３つの視野角内で視認できる３つの画像を同時表示できるトリプルビューディスプレイが提案されている。ここではこれら複数の視野角内でそれぞれ視認できる複数の画像を同時表示するディスプレイをマルチビューディスプレイとし、その表示画面をマルチビュー画面とする。
【０００５】
図６は、デュアルビューディスプレイの基本原理を説明するための図で、図中、１００は液晶ディスプレイを示す。デュアルビュー表示が可能な液晶ディスプレイ１００は、複数の画素Ａ，Ｂを有する液晶表示パネル１００ａの全面に視差バリア（パララックスバリア）１００ｂが配置されている。視差バリア１００ｂは、不透明領域によって隔てられた垂直な透光性スリットを複数有するスクリーンである。液晶表示パネル１００ａの画素Ａを透過した光は、視差バリア１００ｂが有する透光性スリットを介して、液晶表示パネル１００ａの表示面に対し所定の視野角に位置する視聴者II側に到達する。つまり液晶表示パネル１００ａに表示された互いに異なる画像は、視差バリア１００ｂの複数の透光性スリットによって空間上の規定された領域からしか見えないようになっている。これにより、視聴者Ｉ及び視聴者IIは、各々異なる画像を見ることが可能となる。
【０００６】
一方、液晶表示装置のようなホールド型表示方式における動きぼけを改善するために、フレーム間に画像を内挿することにより、フレームレート（フレーム数）を変換する技術が知られている。この技術はＦＲＣ(Frame Rate Converter)と呼ばれ、液晶表示装置等において実用化されている。
【０００７】
例えば、特許文献２には、動き適応的に内挿フレームを生成することにより、表示画像のフレーム周波数を上げて、動きぼけの原因となる空間周波数特性の低下を改善するための技術が記載されている。これは、表示画像のフレーム間に内挿する少なくとも１つの内挿画像信号を、前後のフレームから動き適応的に形成し、形成した内挿画像信号をフレーム間に内挿して順次表示するようにしている。
【特許文献１】特開２００５−８６４１４号公報
【特許文献２】特許第３２９５４３７号明細書
【発明の開示】
【発明が解決しようとする課題】
【０００８】
上述のデュアルビューディスプレイにおいて動き補償によるＦＲＣ処理を行おうとすると、図６で示したように隣接する画素が異なる画像であるため、このような画像に対して動き補償処理を行うと、適切な動きベクトルを検出することができず、内挿画像が破綻してしまうという問題があった。
【０００９】
これを避けるために、従来デュアルビューディスプレイにおいてＦＲＣ処理を行う場合には、動きベクトルによる内挿画像を生成せず、オン／オフ信号により原画像を２回出力することが行われていた。これについて図７，図８に基づいて説明する。
【００１０】
図７は、従来のデュアルビューディスプレイにおけるＦＲＣ処理を説明するためのブロック図で、図中、１０１は画像処理部、１０２はＦＲＣ部、１０３は液晶コントローラ、１０４は制御部を示す。ユーザ操作等に基づいてデュアルビューモードが選択されると、画像Ａと画像Ｂの２つの原画像が画像処理部１０１に入力される。画像処理部１０１では１画面（１フレーム）に画像Ａと画像Ｂをデュアルビュー表示させるために、画像Ａの画素と画像Ｂの画素とを互いに隣接させた画像信号を生成する。
【００１１】
そして、画像処理部１０１は画像Ａと画像Ｂとを合成した画像信号をＦＲＣ部１０２に出力すると共に、デュアルビュー表示識別信号を制御部１０４に出力する。制御部１０４は画像処理部１０１からのデュアルビュー表示識別信号に応じてＦＲＣ部１０２に対して動き補償処理を無効化するためのオン／オフ信号を出力する。ＦＲＣ部１０２は制御部１０４からのオン／オフ信号に応じて動き補償処理を無効化し、原画像の２回出力を行い、これによりフレームレートを変換した画像信号を液晶コントローラ１０３に出力する。液晶コントローラ１０３は、ＦＲＣ部１０２から出力された画像信号を図６の液晶ディスプレイ１００に出力し、液晶ディスプレイ１００により画像Ａ，Ｂをデュアルビュー表示させる。
【００１２】
図８は、従来のデュアルビューディスプレイのＦＲＣ部１０２によるフレームレート変換処理を説明するための図である。図８（Ａ）はＦＲＣ部１０２の入力フレームを示し、図８（Ｂ）はＦＲＣ部１０２の出力フレームを示す。このように、画像処理部１０１からの入力フレームｆ１，ｆ２は、ＦＲＣ部１０２でフレームレート変換される。すなわち、ＦＲＣ部１０２は入力フレームｆ１，ｆ２間で動き補償処理を行わず、入力フレームｆ１，ｆ２を２回出力することでフレームレート変換を行う。
【００１３】
しかしながら、マルチビュー表示において、上述のように単に同一フレームを２回繰り返し出力する方法では、フレームレート変換に伴う動きの不自然さ（ジャーキネス，ジャダーなど）が発生するため、画質的には不十分なものとなっていた。
【００１４】
本発明は、上述のごとき実情に鑑みてなされたものであり、マルチビュー表示を行う際に、動き補償によるＦＲＣ処理を行い、動画応答性を高めると共に画質を向上できるようにした画像表示装置を提供すること、を目的とする。
【課題を解決するための手段】
【００１５】
上記課題を解決するために、本発明の第１の技術手段は、複数の視野角のいずれかに対応した画像を１フレーム内あるいは１フィールド内で複数同時に表示し、前記複数の視野角内のそれぞれの位置で、他の視野角内の位置とは異なる画像を視認可能な表示手段を備えた画像表示装置であって、入力画像信号のフレーム間あるいはフィールド間に、動き補償処理を施した画像信号を内挿することにより、前記入力画像信号のフレーム数あるいはフィールド数を変換して前記表示手段に出力するレート変換手段と、前記表示手段に表示させる１フレーム内あるいは１フィールド内の画像数を通知するための制御信号を前記レート変換手段に出力する制御手段とを備え、前記レート変換手段は、前記制御手段により出力された制御信号に基づいて、１フレーム内あるいは１フィールド内の各画像毎に動きベクトルの検出範囲を構成し、該構成した動きベクトルの検出範囲で動きベクトルを検出することを特徴としたものである。
【００１６】
第２の技術手段は、第１の技術手段において、前記制御信号により通知された画像数をｎ（ｎ≧２）とした場合、前記レート変換手段は、前記入力画像信号の１フレーム内あるいは１フィールド内での各画像の視野角方向に対して、ｎ−１画素おきに画素を抽出し、該抽出した画素により動きベクトルの検出範囲を構成することを特徴としたものである。
【００１７】
第３の技術手段は、第２の技術手段において、前記各画像の視野角方向は、１フレーム内あるいは１フィールド内における水平方向または垂直方向であることを特徴としたものである。
【００１８】
第４の技術手段は、第１〜第３のいずれか１の技術手段において、前記レート変換手段は、前記入力画像信号に含まれる連続したフレーム間あるいはフィールド間で動きベクトル情報を検出する動きベクトル検出部と、該検出した動きベクトル情報に基づいて、前記フレーム間あるいは前記フィールド間に内挿ベクトルを割り付ける内挿ベクトル割付部と、該割り付けた内挿ベクトルから内挿画像信号を生成する内挿画像生成部と、該生成した内挿画像信号を前記フレーム間あるいは前記フィールド間に内挿する画像内挿部とを備えたことを特徴としたものである。
【発明の効果】
【００１９】
本発明によれば、マルチビュー表示を行う際に、動き補償によるＦＲＣ処理を行うことができるため、動画応答性を高めると共に画質の向上を図ることができる。
【発明を実施するための最良の形態】
【００２０】
以下、添付図面を参照しながら、本発明に係る画像表示装置の好適な実施の形態について説明する。本実施形態の画像表示装置は、デュアルビュー表示機能と、ＦＲＣ機能とを備えるものとする。なお、本発明は、フィールド信号及び内挿フィールド信号、フレーム信号及び内挿フレーム信号のいずれに対しても適用できるものであるが、両者（フィールドとフレーム）は互いに類似の関係にあるため、フレーム信号及び内挿フレーム信号を代表例として説明するものとする。
【００２１】
図１は、本発明の画像表示装置が備える動き補償型フレームレート変換部の構成例を示すブロック図である。図中、１０はフレームレート変換部（以下、ＦＲＣ部）で、該ＦＲＣ部１０は、本発明のレート変換手段に相当し、入力画像信号に含まれる２つの連続したフレーム間で動きベクトルを検出するベクトル検出部１１と、検出した動きベクトルに基づいて内挿フレーム（内挿画像）を生成するフレーム生成部１２とから構成される。なお、ベクトル検出部１１は、動きベクトル検出に反復勾配法を用いた場合の例について示すが、この反復勾配法に限定されず、ブロックマッチング法などを用いてもよい。
【００２２】
ここで、反復勾配法の特徴は、動きベクトルの検出がブロック単位で可能であるため、数種類の動き量が検出でき、また、小領域の動物体でも動きベクトルを検出することができる。また、回路構成も他の方式（ブロックマッチング法など）と比較して小規模で実現することができる。この反復勾配法では、被検出ブロックに対して、すでに検出された近傍のブロックの動きベクトルを初期偏位ベクトルとして、これを起点として勾配法の演算を繰り返す方法が用いられる。この方法によれば、勾配法の繰り返しは２回程度でほぼ正確な動き量を得ることができる。
【００２３】
図１において、ベクトル検出部１１は、入力画像信号（ＲＧＢ信号）から輝度信号（Ｙ信号）を抽出する輝度信号抽出部１１ａと、抽出したＹ信号にＬＰＦを掛けて高域部の帯域を制限するための前処理フィルタ１１ｂと、動き検出用フレームメモリ１１ｃと、初期ベクトル候補を蓄積するための初期ベクトルメモリ１１ｄと、反復勾配法を用いてフレーム間の動きベクトルを検出する動きベクトル検出部１１ｅと、検出した動きベクトルに基づいてフレーム間に内挿ベクトルを割り付ける内挿ベクトル評価部１１ｆとを備える。
【００２４】
上記反復勾配法の演算は画素の微分成分を用いているため、ノイズの影響を受け易く、また、検出ブロック内の勾配の変化量が多いと演算誤差が大きくなるため、前処理フィルタ１１ｂにおいてＬＰＦをかけて高域部の帯域を制限しておく。初期ベクトルメモリ１１ｄには、初期ベクトル候補として、前々フレームで既に検出されている動きベクトル（初期ベクトル候補）を蓄積しておく。
【００２５】
動きベクトル検出部１１ｅは、初期ベクトルメモリ１１ｄに蓄積されている初期ベクトル候補の中から被検出ブロックの動きベクトルに最も近い動きベクトルを初期ベクトルとして選択する。すなわち、被検出ブロック近傍のブロックにおける既検出動きベクトル（初期ベクトル候補）の中からブロックマッチング法により初期ベクトルを選択する。そして、動きベクトル検出部１１ｅは、選択した初期ベクトルを起点として、勾配法演算によって前フレームと現フレーム間の動きベクトルを検出する。
【００２６】
内挿ベクトル評価部１１ｆは、本発明の内挿ベクトル割付部に相当し、動きベクトル検出部１１ｅにより検出された動きベクトルを評価し、その評価結果に基づいて最適な内挿ベクトルをフレーム間の内挿ブロックに割り付けて、フレーム生成部１２に出力する。
【００２７】
フレーム生成部１２は、２つの入力フレーム（前フレーム、現フレーム）を蓄積するための内挿用フレームメモリ１２ａと、内挿用フレームメモリ１２ａからの２つの入力フレームと内挿ベクトル評価部１１ｆからの内挿ベクトルとに基づいて内挿フレームを生成する内挿フレーム生成部１２ｂと、入力フレーム（前フレーム、現フレーム）を蓄積するためのタイムベース変換用フレームメモリ１２ｃと、タイムベース変換用フレームメモリ１２ｃからの入力フレームに内挿フレーム生成部１２ｂからの内挿フレームを挿入するタイムベース変換部１２ｄとを備える。
【００２８】
なお、内挿フレーム生成部１２ｂは、本発明の内挿画像生成部に相当し、タイムベース変換部１２ｄは、本発明の画像内挿部に相当する。
【００２９】
図２は、フレーム生成部１２による内挿フレーム生成処理の一例を説明するための図である。内挿フレーム生成部１２ｂは、内挿ブロックに割り付けられた内挿ベクトルＶを前フレーム、現フレームに伸ばして、各フレームとの交点近傍の画素を用いて内挿ブロック内の各画素を補間する。例えば、前フレームでは近傍３点よりＡ点の輝度を算出する。現フレームでは近傍３点よりＢ点の輝度を算出する。内挿フレームではＰ点の輝度をＡ点とＢ点の輝度から補間する。Ｐ点の輝度は、例えばＡ点の輝度とＢ点の輝度の平均としてもよい。
【００３０】
上記のようにして生成された内挿フレームは、タイムベース変換部１２ｄに送られる。タイムベース変換部１２ｄは、前フレーム、現フレームの間に、内挿フレームを挟み込んで、フレームレートを変換する処理を行う。このように、ＦＲＣ部１０により、入力画像信号（６０フレーム／秒）を、動き補償された出力画像信号（１２０フレーム／秒）へ変換でき、これを表示パネルに出力することにより、動きぼけを低減して動画質を改善することが可能となる。なお、ここでは、６０フレーム／秒の入力画像信号を、１２０フレーム／秒の出力画像信号にフレームレート変換する場合について説明するが、例えば９０フレーム／秒、１８０フレーム／秒の出力画像信号を得る場合に適用しても良いことは言うまでもない。
【００３１】
図３は、本発明に係る画像表示装置の要部構成例を示すブロック図で、図中、１３は画像処理部、１４は制御部、１５は液晶コントローラ、１６は液晶ディスプレイを示す。ＦＲＣ部１０は、動きベクトル検出部１１ｅ、内挿用フレームメモリ１２ａ、内挿フレーム生成部１２ｂ、動きベクトル検出ブロック算出部１１ｇ、フレームメモリ制御部１２ｅを備える。なお、ここでは本発明に係る要部構成のみを図示し、図１に示した輝度信号抽出部１１ａ、前処理フィルタ１１ｂ、動き検出用フレームメモリ１１ｃ、初期ベクトルメモリ１１ｄ、内挿ベクトル評価部１１ｆ、タイムベース変換用フレームメモリ１２ｃ、及びタイムベース変換部１２ｄの記載は省略するものとする。
【００３２】
本実施形態における画像表示装置（以下、液晶表示装置で代表する）は、複数の視野角のいずれかに対応した画像を１フレーム内あるいは１フィールド内で複数同時に表示し、複数の視野角内のそれぞれの位置で、他の視野角内の位置とは異なる画像を視認可能な表示手段に相当する液晶ディスプレイ１６と、動き補償によりフレームレートを変換して液晶ディスプレイ１６に出力するレート変換手段に相当するＦＲＣ部１０とを備えるものとする。
【００３３】
図３において、ユーザ操作等に基づいてデュアルビューモードが選択されると、画像Ａと画像Ｂの２つの原画像が画像処理部１３に入力される。画像処理部１３では１画面（１フレーム）に画像Ａと画像Ｂをデュアルビュー表示させるために、画像Ａの画素と画像Ｂの画素とを互いに隣接させた画像信号を生成する。ここでは画像Ａと画像Ｂとを左右（水平）方向に分離・表示させる場合を例として説明する。
【００３４】
画像処理部１３は画像Ａと画像Ｂとが合成された画像信号（入力フレーム）をＦＲＣ部１０に出力すると共に、デュアルビュー表示識別信号を制御部１４に出力する。制御部１４は画像処理部１３からのデュアルビュー表示識別信号に応じてＦＲＣ部１０に対して制御信号を出力する。この制御信号は、液晶ディスプレイ１６に表示させる１フレーム内あるいは１フィールド内の画像数を通知するための信号である。ＦＲＣ部１０において、画像処理部１３からの入力フレームは動きベクトル検出ブロック算出部１１ｇと内挿用フレームメモリ１２ａに入力される。また、制御部１４からの制御信号は動きベクトル検出ブロック算出部１１ｇとフレームメモリ制御部１２ｅに入力される。
【００３５】
動きベクトル検出ブロック算出部１１ｇは、制御部１４からの制御信号に応じて、１フレーム内あるいは１フィールド内の各画像毎に動きベクトルの検出範囲（動きベクトル検出ブロック）を構成する。具体的には、制御信号により通知された画像数をｎ（ｎ≧２）とした場合、動きベクトル検出ブロック算出部１１ｇは、画像信号の１フレーム内あるいは１フィールド内での各画像の視野角方向（水平方向または垂直方向）に対して、ｎ−１画素おきに画素を抽出し、抽出した画素により動きベクトル検出ブロックを構成する。例えば、画像数ｎが２であれば、水平方向１画素おきに画素を抽出し、画像数ｎが３であれば、水平方向２画素おきに画素を抽出する。
【００３６】
図４は、画像数ｎ＝２とした場合の動きベクトル検出ブロックの構成方法の一例を説明するための図である。本例では、フレーム内での各画像（画像Ａ，Ｂ）の視野角方向（図中、矢印の方向）が水平（左右）方向であるため、フレーム内水平方向にｎ−１画素（ｎは１フレーム内の画像数）おきに画素を抽出する。１フレーム内の画像数ｎを２（画像Ａ，Ｂ）とした場合、連続した２つの入力フレームｆ１，ｆ２を対象として動きベクトル検出ブロックを構成する。ここでは、前フレームとなる入力フレームｆ１の水平方向に対して１画素おきに画素を抽出することで、画像Ａの画素Ａ１からなる検出ブロックｂ１が構成され、同様に、現フレームとなる入力フレームｆ２の水平方向に対して１画素おきに画素を抽出することで、画像Ａの画素Ａ２からなる検出ブロックｂ２が構成される。これは画像Ｂの画素Ｂ１，画素Ｂ２についても同様である。この動きベクトル検出ブロックのサイズは任意であるが、例えば、水平方向に±２０画素、垂直方向に±１０画素などと予め設定しておけばよい。
【００３７】
動きベクトル検出部１１ｅは、動きベクトル検出ブロック算出部１１ｇにより構成された動きベクトル検出ブロックを動きベクトル探索範囲として動きベクトルを検出する。
【００３８】
以下、図１に示した処理と同様であるが、内挿ベクトル評価部１１ｆは、動きベクトル検出部１１ｅにより検出された動きベクトルを評価し、その評価結果に基づいて最適な内挿ベクトルをフレーム間の内挿ブロックに割り付けて、内挿フレーム生成部１２ｂに出力する。内挿フレーム生成部１２ｂは、内挿用フレームメモリ１２ａからの２つの入力フレームと内挿ベクトル評価部１１ｆからの内挿ベクトルとに基づいて内挿フレームを生成する。
【００３９】
ここで、フレームメモリ制御部１２ｅには制御部１４からの制御信号が入力される。例えば、フレームメモリ制御部１２ｅは、制御信号（画像数ｎ＝２）が入力されると、内挿用フレームメモリ１２ａから２つの入力フレームを読み出して、内挿フレーム生成部１２ｂに出力する。
【００４０】
最後に、タイムベース変換部１２ｄは、タイムベース変換用フレームメモリ１２ｃからの入力フレームに内挿フレーム生成部１２ｂからの内挿フレームを挿入して、フレームレート変換後の画像信号を液晶コントローラ１５に出力する。
【００４１】
制御部１４は、図３に示す各部（ＦＲＣ部１０，画像処理部１３，液晶コントローラ１５，液晶ディスプレイ１６）を制御するためのＣＰＵやメモリなどで構成され、ＦＲＣ部１０におけるＦＲＣ処理を制御する。
【００４２】
液晶コントローラ１５は、制御部１４の制御により、液晶ディスプレイ１６に必要な表示タイミング信号を生成する。また、液晶コントローラ１５は、ＦＲＣ部１０から出力された画像信号をデュアルビュー表示に適した画素配分になるように処理し、１つの画像データとして液晶ディスプレイ１６に出力する。このとき液晶コントローラ１５は、液晶ディスプレイ１６の表示動作をコントロールするために必要な表示制御信号も合わせて出力する。具体的には、液晶コントローラ１５は、ＦＲＣ部１０によりフレームレート変換された画像データに基づき液晶ディスプレイ１６のゲートドライバにより走査電極を駆動させ、ソースドライバによりデータ電極を駆動させる。
【００４３】
液晶ディスプレイ１６は、図示しないバックライトからの光により背面から照明される。そして２つの基板の間に注入されている異方性誘電率を有する液晶層に印加される電界の強さに応じて、基板を透過する照明光の量を調整して画像を表示させる。また、液晶ディスプレイ１６の前面には前述の視差バリア（パララックスバリア）が重ね合わされている。視差バリアは、不透明領域によって隔てられた垂直な透光性スリットを複数有するスクリーンである。
【００４４】
ここで液晶ディスプレイ１６にデュアルビュー表示を行わせる場合には、例えば、液晶ディスプレイ１６の隣り合う画素を、それぞれ右側の視聴者用の画像データと左側の視聴者用の画像データとに応じて駆動させればよい。言い換えれば、隣り合う画素は互いに異なる方向用の画像データに応じて駆動されることになる。なお、画素は１個おきに互いに異なる画像データに応じて駆動されるようにしてもよいし、２個おきあるいは３個おき等のように複数個おきに駆動させるようにしてもよい。この場合、いずれにしても視差バリアの透光性スリットの幅に応じて画像データの表示画素を設定すればよい。
【００４５】
すなわち、液晶ディスプレイ１６の画素は、液晶コントローラ１５からの表示制御信号に基づき駆動されることになる。これにより視差バリアの複数の透光性スリットを通して見える光は、空間上の規定された領域からしか見えないことになる。例えば、右側の視聴者は右側の視聴者用の画像データに応じた画像を視認することができ、左側の視聴者は左側の視聴者用の画像データに応じた画像を視認することができる。
【００４６】
このように、デュアルビューなどのマルチビュー表示を行う際に、動き補償によるＦＲＣ処理を行うことができるため、動画応答性を高めると共に画質の向上を図ることができる。
【００４７】
図５は、本発明によるデュアルビューディスプレイのＦＲＣ部１０によるフレームレート変換処理の一例を説明するための図である。図５（Ａ）はＦＲＣ部１０の入力フレームを示し、図５（Ｂ）はＦＲＣ部１０の出力フレームを示す。このように、画像処理部１１からの入力フレームは、ＦＲＣ部１０でフレームレート変換される。すなわち、ＦＲＣ部１０は入力フレームｆ１，ｆ２間で動き補償処理を行って、内挿フレームｆ１′を出力し、以下同様に、入力フレームｆ２，ｆ３間で動き補償処理を行って、内挿フレームｆ２′を出力する。このように前フレームと現フレームの間に動き補償処理を施した画像信号を内挿することでフレームレートを変換する。
【００４８】
なお、上記では、フレーム内の水平方向に対して１画素おきに画素を抽出する例について説明したが、フレーム内での各画像の視野角方向が垂直（上下）方向である場合には、フレーム内の垂直（上下）方向に対して、ｎ−１画素（ｎは１フレーム内の画像数）おきに画素を抽出するようにしてもよい。この場合、画像Ａの画素Ａ１，Ａ２，…、画像Ｂの画素Ｂ１，Ｂ２，…はそれぞれフレーム内水平方向に配置され、視野角内の位置に応じて１画面が上下方向に異なる画像として視認される。なお、視差バリアは、不透明領域によって隔てられた水平な透光性スリットを複数有するスクリーンとすればよい。
【図面の簡単な説明】
【００４９】
【図１】本発明の画像表示装置が備える動き補償型フレームレート変換部の構成例を示すブロック図である。
【図２】フレーム生成部による内挿フレーム生成処理の一例を説明するための図である。
【図３】本発明に係る画像表示装置の要部構成例を示すブロック図である。
【図４】画像数ｎ＝２とした場合の動きベクトル検出ブロックの構成方法の一例を説明するための図である。
【図５】本発明によるデュアルビューディスプレイのＦＲＣ部によるフレームレート変換処理の一例を説明するための図である。
【図６】デュアルビューディスプレイの基本原理を説明するための図である。
【図７】従来のデュアルビューディスプレイにおけるＦＲＣ処理を説明するためのブロック図である。
【図８】従来のデュアルビューディスプレイのＦＲＣ部によるフレームレート変換処理を説明するための図である。
【符号の説明】
【００５０】
１０…フレームレート変換（ＦＲＣ）部、１１…ベクトル検出部、１１ａ…輝度信号抽出部、１１ｂ…前処理フィルタ、１１ｃ…動き検出用フレームメモリ、１１ｄ…初期ベクトルメモリ、１１ｅ…動きベクトル検出部、１１ｆ…内挿ベクトル評価部、１１ｇ…動きベクトル検出ブロック算出部、１２…フレーム生成部、１２ａ…内挿用フレームメモリ、１２ｂ…内挿フレーム生成部、１２ｃ…タイムベース変換用フレームメモリ、１２ｄ…タイムベース変換部、１２ｅ…フレームメモリ制御部、１３…画像処理部、１４…制御部、１５…液晶コントローラ、１６…液晶ディスプレイ。
【図１】
2010016463.tif 000003
【図２】
2010016463.tif 000004
【図３】
2010016463.tif 000005
【図４】
2010016463.tif 000006
【図５】
2010016463.tif 000007
【図６】
2010016463.tif 000008
【図７】
2010016463.tif 000009
【図８】
2010016463.tif 000010